【手続補正書】
【提出日】平成20年8月11日(2008.8.11)
【手続補正１】
【補正対象書類名】特許請求の範囲
【補正対象項目名】全文
【補正方法】変更
【補正の内容】
【特許請求の範囲】
【請求項１】
ユーザーが保有する携帯型電子生物生存装置であって、
（Ａ）「少なくとも、ユーザーが保有する携帯型電子生物生存装置の内部に生存する電子生物を示す電子生物画像、ユーザーによる事前の操作もしくは設定により選択される、前記電子生物を主体とするメッセージを含む情報、及び、前記電子生物を特定するためのデータ」（以下「電子生物画像等」という）を、
前記「電子生物画像等」を受信したとき、その受信したことに基づいて、自動的に（前記受信後の「受信側のユーザーによる特別な操作」を介することなく）、前記「電子生物画像等」を送信してきた携帯型電子生物生存装置に対して、「少なくとも、受信側のユーザーによる事前の操作又は設定により選択される、受信側の電子生物を主体とするメッセージを含む情報、及び、受信側の電子生物を特定するためのデータ、を含む返信」を、赤外線又は電波を使用した近距離無線通信により送信する機能を有しており、且つ、近傍に存在している一つ又は複数の『近傍の他の携帯型電子生物生存装置』に向けて、
ユーザーによる事前の操作もしくは設定に基づいて、自動的に（「電子生物画像等の送信時のユーザーによる特別な操作」を介することなく）且つ所定時間毎に、
赤外線又は電波を使用した近距離無線により、
送信するための電子生物画像等送信手段と、
（Ｂ）他のユーザーが保有する携帯型電子生物生存装置であって、ユーザーによる事前の操作もしくは設定に基づいて、自動的に（「電子生物画像等の送信時のユーザーによる特別な操作」を介することなく）且つ所定時間毎に、「少なくとも、前記他のユーザーが保有する他の携帯型電子生物生存装置の内部に生存する他の電子生物を示す他の電子生物画像、前記他のユーザーによる事前の操作もしくは設定により選択される、前記他の電子生物を主体とするメッセージを含む情報、及び、前記他の電子生物を特定するためのデータ」（以下「他の電子生物画像等」という）を無線で送信する機能を有している前記他のユーザーが保有する携帯型電子生物生存装置から、
「少なくとも、前記他の携帯型電子生物生存装置の内部に存在する他の電子生物を示す電子生物画像、前記他の電子生物を主体とするメッセージを含む情報、及び、前記他の電子生物を特定するためのデータ」（以下「他の電子生物画像等」という）を、
赤外線又は電波を使用した近距離無線により、
受信するための他の電子生物画像等受信手段と、
（Ｃ）ユーザーが保有する携帯型電子生物生存装置に備えられた返信送信手段であって、前記他の携帯型電子生物生存装置からの「他の電子生物画像等」が前記電子生物画像等受信手段により受信されたことに基づいて、自動的に（前記受信後の「ユーザーによる特別な操作」を介することなく）、前記「他の電子生物画像等」を送信してきた前記他の携帯型電子生物生存装置に対して、「少なくとも、自ら（電子生物）を主体とするメッセージを含む情報、及び、自ら（電子生物）を特定するためのデータ、を含む返信」を、赤外線又は電波を使用した近距離無線通信により、送信するための返信送信手段と、
を備えたことを特徴とする、ユーザーが保有する携帯型電子生物生存装置。
【請求項２】
ユーザーが保有する携帯型電子生物生存装置であって、
（Ａ）「少なくとも、ユーザーが保有する携帯型電子生物生存装置の内部に生存する電子生物を示す電子生物画像、前記電子生物を主体とするメッセージを含む情報、及び、前記電子生物を特定するためのデータ」（以下「電子生物画像等」という）を、
前記ユーザーが保有する携帯型電子生物生存装置の近傍に存在している『近傍の他の携帯型電子生物生存装置』であって、前記「電子生物画像等」を受信したとき、その受信したことに基づいて、自動的に（前記受信後の「受信側のユーザーによる特別な操作」を介することなく）、前記「電子生物画像等」を送信してきた携帯型電子生物生存装置に対して、「少なくとも、受信側の電子生物を主体とするメッセージを含む情報、及び、受信側の電子生物を特定するためのデータ、を含む返信」を、赤外線又は電波を使用した近距離無線通信により送信する機能を有しており、且つ、近傍に存在している、一つ又は複数の『近傍の他の携帯型電子生物生存装置』に向けて、
ユーザーによる事前の操作もしくは設定に基づいて、自動的に（「電子生物画像等の送信時のユーザーによる特別な操作」を介することなく）且つ所定時間毎に、
赤外線又は電波を使用した近距離無線により、
送信するための電子生物画像等送信手段と、
（Ｂ）ユーザーが保有する携帯型電子生物生存装置に備えられた情報内容記録手段であって、前記「電子生物画像等」を送信するときの、前記「電子生物画像等」の中に含まれ得る複数の「情報の内容」を、記録しておくための情報内容記録手段と、
（Ｃ）ユーザーが保有する携帯型電子生物生存装置に備えられた情報内容選択手段であって、前記「電子生物画像等」の送信を行う又は行おうとするときに前記「電子生物画像等」の中に含まれるべき一つ又は複数の「情報の内容」を、ユーザーによる事前の操作もしくは設定に基づいて、前記情報内容記録手段に記録された複数の「情報の内容」の中から選択するための情報内容選択手段と、
（Ｄ）ユーザーが保有する携帯型電子生物生存装置に備えられた電子生物画像等送信制御手段であって、前記「電子生物画像等」を赤外線又は電波を使用した近距離無線により送信するとき、その「電子生物画像等」の中に前記情報内容選択手段により選択された「情報の内容」を含めるように前記電子生物画像等送信手段を制御するための電子生物画像等送信制御手段と、
を備えたことを特徴とする、ユーザーが保有する携帯型電子生物生存装置。
【請求項３】
ユーザーが保有する携帯型電子生物生存装置であって、
（Ａ）前記ユーザーが保有する携帯型電子生物生存装置の近傍に存在する『近傍の他の携帯型電子生物生存装置』であって、ユーザーによる事前の操作もしくは設定に基づいて、自動的に（「電子生物画像等の送信時のユーザーによる特別な操作」を介することなく）且つ所定時間毎に、「少なくとも、前記『近傍の他の携帯型電子生物生存装置』の内部に生存する他の電子生物を示す他の電子生物画像、前記他の電子生物を主体とするメッセージを含む情報、及び、前記他の電子生物を特定するためのデータ」（以下「他の電子生物画像等」という）を無線で送信する機能を有している、前記『近傍の他の携帯型電子生物生存装置』から、
「少なくとも、前記『近傍の他の携帯型電子生物生存装置』の内部に存在する他の電子生物を示す電子生物画像、前記他の電子生物を主体とするメッセージを含む情報、及び、前記他の電子生物を特定するためのデータ」（以下「他の電子生物画像等」という）を、
赤外線又は電波を使用した近距離無線により、
受信するための他の電子生物画像等受信手段と、
（Ｂ）ユーザーが保有する携帯型電子生物生存装置に備えられた返信送信手段であって、前記『近傍の他の携帯型電子生物生存装置』からの「他の電子生物画像等」が前記電子生物画像等受信手段により受信されたことに基づいて、自動的に（前記受信後の「ユーザーによる特別な操作」を介することなく）、前記「他の電子生物画像等」を送信してきた前記『近傍の他の携帯型電子生物生存装置』に対して、「少なくとも、自ら（電子生物）を主体とするメッセージを含む情報、及び、自ら（電子生物）を特定するためのデータ、を含む返信」を、赤外線又は電波を使用した近距離無線通信により、送信するための返信送信手段と、
（Ｃ）ユーザーが保有する携帯型電子生物生存装置に備えられた返信用情報内容記録手段であって、前記『近傍の他の携帯型電子生物生存装置』からの前記「他の電子生物画像等」が前記電子生物画像等受信手段により受信されたときにそれに対する所定の「返信」を前記『近傍の他の携帯型電子生物生存装置』に送信する場合における、前記「返信」の中に含まれ得る複数の「情報の内容」を、記録しておくための返信用情報内容記録手段と、
（Ｄ）ユーザーが保有する携帯型電子生物生存装置に備えられた返信用情報内容選択手段であって、前記「返信」を送信する又は送信しようとするときの前記「返信」の中に含めるべき一つ又は複数の「情報の内容」を、ユーザーによる事前の操作もしくは設定に基づいて、前記返信用情報内容記録手段に記録された複数の「情報の内容」の中から選択するための返信用情報内容選択手段と、
（Ｅ）ユーザーが保有する携帯型電子生物生存装置に備えられた返信送信制御手段であって、前記「返信」を無線で送信するとき、その「返信」の中に前記情報内容選択手段により選択された「情報の内容」を含めるように前記返信送信手段を制御するための返信送信制御手段と、
を備えたことを特徴とする、ユーザーが保有する携帯型電子生物生存装置。
【請求項４】
ユーザーが保有する携帯型の電子生物生存装置であって、
「ユーザーが保有する電子生物生存装置内に生存する電子生物（人間や動植物や仮想の生物などを示す電子キャラクタ）がメッセージの主体となっている挨拶等のメッセージ及び自己（電子生物）に関するデータを含む、メッセージ等データ」を、予め決められた条件に基づいて所定間隔毎に、近傍のエリアに存在する他の携帯型電子生物生存装置内に生存する他の電子生物であって前記電子生物からのデータを無線で受信する機能を備えている不特定の他の携帯型電子生物生存装置内に生存する他の電子生物に向けて、近距離無線通信手段により送信するためのメッセージ等データ送信手段と、
近傍のエリアに存在する他の電子生物生存装置内から近距離無線通信手段により送信されてきた「前記他の電子生物生存装置内に生存する他の電子生物がメッセージの主体となっている挨拶等のメッセージ及び前記他の電子生物に関するデータを含む、メッセージ等データ」を、受信するためのメッセージ等データ受信手段と、
前記メッセージ等データ受信手段が前記他の電子生物生存装置からの「メッセージ等データ」を受信したことに基づいて、自動的に（前記受信後の「ユーザーによる特別な操作」をいちいち介することなく）且つ直ちに、前記メッセージ等データを送信した前記他の携帯型電子生物生存装置に対して、「自らを主体とし且つ前記他の電子生物を相手方とする挨拶等のメッセージ及び自己（電子生物）に関するデータを含むデータ」を、近距離無線通信手段により返信するためのメッセージ等データ返信手段と、
を備えたことを特徴とする、ユーザーが保有する携帯型電子生物生存装置。
【請求項５】
ユーザーが保有する携帯型の電子生物生存装置であって、
「ユーザーが保有する電子生物生存装置内に生存する電子生物（人間や動植物や仮想の生物などを示す電子キャラクタ）がメッセージの主体となっている挨拶等のメッセージ及び自己（電子生物）に関するデータを含む、メッセージ等データ」を、予め決められた条件に基づいて所定間隔毎に、近傍のエリアに存在する他の携帯型電子生物生存装置内に生存する他の電子生物であって前記電子生物からのデータを無線で受信する機能を備えている不特定の他の携帯型電子生物生存装置内に生存する他の電子生物に向けて、近距離無線通信手段により送信するためのメッセージ等データ送信手段と、
近傍のエリアに存在する他の電子生物生存装置内から近距離無線通信手段により送信されてきた「前記他の電子生物生存装置内に生存する他の電子生物がメッセージの主体となっている挨拶等のメッセージ及び前記他の電子生物に関するデータを含む、メッセージ等データ」を、受信するためのメッセージ等データ受信手段と、
前記メッセージ等データ受信手段が前記他の電子生物生存装置からの「メッセージ等データ」を受信したことに基づいて、自動的に（前記受信後の「ユーザーによる特別な操作」をいちいち介することなく）且つ直ちに、前記メッセージ等データを送信した前記他の携帯型電子生物生存装置に対して、「自らを主体とし且つ前記他の電子生物を相手方とする挨拶等のメッセージ及び自己（電子生物）に関するデータを含むデータ」を、近距離無線通信手段により返信するためのメッセージ等データ返信手段と、
を備えたことを特徴とする、ユーザーが保有する携帯型電子生物生存装置。
【請求項６】
ユーザーが保有する携帯型の電子生物生存装置であって、
「ユーザーが保有する電子生物生存装置内に生存する電子生物（人間や動植物や仮想の生物などを示す電子キャラクタ）がメッセージの主体となっており、且つ、近傍のエリアに存在する一つ又は複数の他の電子生物生存装置内の他の電子生物がメッセージの相手方となっている、メッセージ」を、予め決められた条件に基づいて、自動的に（「ユーザーによる操作」をいちいち介することなく）、近傍のエリアに存在する他の携帯型電子生物生存装置内に生存する他の電子生物に向けて、近距離無線通信手段により送信するためのメッセージ送信手段と、
近傍のエリアに存在する他の電子生物生存装置内から近距離無線通信手段により送信された「前記他の電子生物生存装置内に生存する他の電子生物がメッセージの主体となっており、且つ、前記他の電子生物生存装置の近傍のエリアに存在する一つ又は複数の電子生物生存装置内の電子生物がメッセージの相手方となっている、メッセージ」を、受信するためのメッセージ受信手段と、
前記メッセージ受信手段が前記他の電子生物生存装置からの「自らを相手方とする前記メッセージ」を受信したことに基づいて、自動的に（前記受信後の「ユーザーによる操作」をいちいち介することなく）、前記メッセージを送信した前記他の携帯型電子生物生存装置に対して、自らを主体とし且つ前記他の電子生物を相手方とするメッセージを、近距離無線通信手段により返信するためのメッセージ返信手段と、
を備えたことを特徴とする、ユーザーが保有する携帯型電子生物生存装置。
【請求項７】
ユーザーが保有する携帯型電子生物生存装置に備えられた電子生物画像等送信手段であって、装置の製造時の設定又はユーザーによる事前の操作もしくは設定に基づいて、自動的に（「電子生物画像等の送信時のユーザーによる特別な操作」を介することなく）、「少なくとも、ユーザーが保有する携帯型電子生物生存装置の内部に生存する電子生物を示す電子生物画像、及び、ユーザーによる事前の操作もしくは設定により選択される所定のメッセージなどの情報の内容」（以下「電子生物画像等」という）を、ユーザーが保有する携帯型電子生物生存装置の近傍に存在する一つ又は複数の他の携帯型電子生物生存装置に向けて、近距離無線通信により送信するための電子生物画像等送信手段と、
ユーザーが保有する携帯型電子生物生存装置に備えられた情報内容記録手段であって、前記「電子生物画像等」を送信するときの、前記「電子生物画像等」の中に含まれ得る複数の「メッセージなどの情報の内容」を、記録しておくための情報内容記録手段と、
ユーザーが保有する携帯型電子生物生存装置に備えられた情報内容選択手段であって、前記「電子生物画像等」の送信を行う又は行おうとするときに前記「電子生物画像等」の中に含まれるべき一つ又は複数の「メッセージなどの情報の内容」を、ユーザーによる事前の操作もしくは設定に基づいて、前記情報内容記録手段に記録された複数の「メッセージなどの情報の内容」の中から選択するための情報内容選択手段と、
ユーザーが保有する携帯型電子生物生存装置に備えられた電子生物画像等送信制御手段であって、前記「電子生物画像等」を近距離無線通信により送信するとき、その「電子生物画像等」の中に前記情報内容選択手段により選択された「メッセージなどの情報の内容」を含めるように前記電子生物画像等送信手段を制御するための電子生物画像等送信制御手段と、
を備えたことを特徴とする、ユーザーが保有する携帯型電子生物生存装置。